【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
ＰＴＰグランドマスタと、
前記ＰＴＰグランドマスタとＰＴＰに従って時刻同期する第１の送信機と、
前記ＰＴＰグランドマスタとＰＴＰに従って時刻同期する第２の送信機と、
前記第１の送信機および前記第２の送信機とＩＰネットワークを介して接続された受信機とを備え、
前記第１の送信機および前記第２の送信機のそれぞれは、
１つの映像信号から分配された映像信号を入力とし、
前記入力された映像信号を複数のＩＰパケットに分割し、
前記ＰＴＰに従って同期した時刻に基づいたタイムスタンプを、前記分割した複数のＩＰパケットのそれぞれに設定し、
前記第１の送信機は、前記タイムスタンプが設定された前記複数のＩＰパケットを第１のＩＰパケットストリームとして、ＲＴＰに従って、第１の伝送経路を介して送信し、
前記第２の送信機は、前記タイムスタンプが設定された前記複数のＩＰパケットを第２のＩＰパケットストリームとして、ＲＴＰに従って、第２の伝送経路を介して送信する
ことを特徴とする映像切替システム。
【請求項２】
前記受信機は、
前記第１のＩＰパケットストリームおよび前記第２のＩＰパケットストリームにおいてそれぞれのＩＰパケットに設定された前記タイムスタンプを比較し、
比較結果が所定の範囲内にあることに基づいて、前記第１のＩＰパケットストリームおよび前記第２のＩＰパケットストリームにおいてそれぞれ同一のペイロードを有する２つのＩＰパケットを含むＩＰパケット対を識別し、
前記ＩＰパケット対を受信する場合は、前記ＩＰパケット対のうちのいずれかのＩＰパケットを選択して映像信号を再構築し、
前記ＩＰパケット対のうちの１つのＩＰパケットのみを受信する場合は、前記１つのＩＰパケットを使用して映像信号を再構築する
ことを特徴とする請求項１に記載の映像切替システム。
【請求項３】
前記受信機は、前記ＩＰパケット対におけるそれぞれのＩＰパケットの映像フレーム境界を示すフィールドを比較することを特徴とする請求項２に記載の映像切替システム。
【請求項４】
前記ＰＴＰに従って同期した時刻に基づいたタイムスタンプは、ＲＴＰタイムスタンプであり、
前記第１の送信機および前記第２の送信機は、ＰＴＰによる時刻情報をＲＴＰタイムスタンプに変換する
ことを特徴とする請求項１乃至３のいずれか一項に記載の映像切替システム。
【請求項５】
前記受信機は、
前記第１のＩＰパケットストリームおよび前記第２のＩＰパケットストリームにおいてそれぞれのＩＰパケットに設定された前記タイムスタンプを比較し、
比較結果が所定の範囲内にあることに基づいて、前記第１のＩＰパケットストリームおよび前記第２のＩＰパケットストリームにおいてそれぞれ同一のペイロードを有する２つのＩＰパケットを含むＩＰパケット対を識別し、
前記ＩＰパケット対を受信する場合は、前記ＩＰパケット対のうちのいずれかのＩＰパケットを選択して第３のＩＰストリームを構築し、
前記ＩＰパケット対のうちの１つのＩＰパケットのみを受信する場合は、前記１つのＩＰパケットを使用して前記第３のＩＰストリームを構築する
ことを特徴とする請求項１に記載の映像切替システム。
【請求項６】
前記受信機は、
前記ＩＰパケットのＭＡＣヘッダ、ＩＰヘッダ、ＵＤＰヘッダのうちの少なくとも１つを変更し、新たな連番のＲＴＰシーケンス番号を前記第３のＩＰストリームに設定することを特徴とする請求項５に記載の映像切替システム。
【請求項７】
１つの映像信号から分配された映像信号を入力とする複数の送信機であって、
前記複数の送信機のうちの第１の送信機は、
ＰＴＰグランドマスタとＰＴＰに従って時刻同期し、
前記分配された入力映像信号を複数のＩＰパケットに分割し、
前記ＰＴＰに従って同期した時刻に基づくタイムスタンプを、前記分割した複数のＩＰパケットのそれぞれに設定し、
前記タイムスタンプが設定された前記複数のＩＰパケットを第１のＩＰパケットストリームとして、ＲＴＰに従って、第１の伝送経路を介して送信し、
前記複数の送信機のうちの第２の送信機は、
前記ＰＴＰグランドマスタとＰＴＰに従って時刻同期し、
前記分配された入力映像信号を複数のＩＰパケットに分割し、
前記ＰＴＰに従って同期した時刻に基づくタイムスタンプを、前記分割した複数のＩＰパケットのそれぞれに設定し、
前記タイムスタンプが設定された前記複数のＩＰパケットを第２のＩＰパケットストリームとして、ＲＴＰに従って、第２の伝送経路を介して送信する
ことを特徴とする映像送信機。
【請求項８】
１つの映像信号から分配された映像信号を入力とし、
入力された前記映像信号を複数のＩＰパケットに分割し、
前記複数のＩＰパケットを第１のＩＰパケットストリームとして、ＲＴＰに従って、第１の伝送経路を介して送信する第１の送信機と、
前記分配された映像信号を入力とし、
入力された前記映像信号を複数のＩＰパケットに分割し、
前記複数のＩＰパケットを第２のＩＰパケットストリームとして、ＲＴＰに従って、第２の伝送経路を介して送信する第２の送信機と、
前記第１の送信機および前記第２の送信機とＩＰネットワークを介して接続された受信機と
を備え、
前記受信機は、
前記第１のＩＰパケットストリームのうちの映像フレーム境界を示す第１のＩＰパケットを判定し、
前記第２のＩＰパケットストリームのうちの映像フレーム境界を示す第２のＩＰパケットを判定し、
前記第１のＩＰパケットストリームのうちのいずれかのＩＰパケットのシーケンス番号と、前記第１のＩＰパケットのシーケンス番号との第１の比較を行い、
前記第２のＩＰパケットストリームのうちのいずれかのＩＰパケットのシーケンス番号と、前記第２のＩＰパケットのシーケンス番号との第２の比較を行い、
前記第１の比較と前記第２の比較との結果が一致したことに基づいて、前記第１のＩＰパケットストリームおよび前記第２のＩＰパケットストリームにおいてそれぞれ同一のペイロードを有する２つのＩＰパケットを含むＩＰパケット対を識別し、
前記ＩＰパケット対を受信する場合は前記ＩＰパケット対のうちのいずれかのＩＰパケットを選択して映像信号を再構築し、
前記ＩＰパケット対のうちの１つのＩＰパケットのみを受信する場合は、前記１つのＩＰパケットを使用して映像信号を再構築する
ことを特徴とする映像切替システム。
【請求項９】
第１の送信機および第２の送信機とＩＰネットワークを介して接続され、
第１のＩＰパケットストリームを、ＲＴＰに従って、第１の伝送経路を介して受信し、
第２のＩＰパケットストリームを、ＲＴＰに従って、第２の伝送経路を介して受信し、
前記第１のＩＰパケットストリームのうちの映像フレーム境界を示す第１のＩＰパケットを判定し、
前記第２のＩＰパケットストリームのうちの映像フレーム境界を示す第２のＩＰパケットを判定し、
前記第１のＩＰパケットストリームのうちのいずれかのＩＰパケットのシーケンス番号と、前記第１のＩＰパケットのシーケンス番号との第１の比較を行い、
前記第２のＩＰパケットストリームのうちのいずれかのＩＰパケットのシーケンス番号と、前記第２のＩＰパケットのシーケンス番号との第２の比較を行い、
前記第１の比較と前記第２の比較の結果が一致したことに基づいて、前記第１のＩＰパケットストリームおよび前記第２のＩＰパケットストリームにおいてそれぞれ同一のペイロードを有する２つのＩＰパケットを含むＩＰパケット対を識別し、
前記ＩＰパケット対を受信する場合は前記ＩＰパケット対のうちのいずれかのＩＰパケットを選択して映像信号を再構築し、
前記ＩＰパケット対のうちの１つのＩＰパケットのみを受信する場合は、前記１つのＩＰパケットを使用して映像信号を再構築する
ことを特徴とする映像受信機。
【請求項１０】
１つの映像信号から分配された映像信号を入力とし、
入力された前記映像信号を複数のＩＰパケットに分割し、
前記複数のＩＰパケットを第１のＩＰパケットストリームとして、ＲＴＰに従って、第１の伝送経路を介して送信する第１の送信機と、
前記分配された映像信号を入力とし、
入力された前記映像信号を複数のＩＰパケットに分割し、
前記複数のＩＰパケットを第２のＩＰパケットストリームとして、ＲＴＰに従って、第２の伝送経路を介して送信する第２の送信機と
前記第１の送信機および前記第２の送信機とＩＰネットワークを介して接続された受信機と
を備え、
前記受信機は、
前記第１のＩＰパケットストリームのうちの映像フレーム境界を示す第１のＩＰパケットを判定し、
前記第２のＩＰパケットストリームのうちの映像フレーム境界を示す第２のＩＰパケットを判定し、
前記第１のＩＰパケットストリームのうちのいずれかのＩＰパケットのシーケンス番号と、前記第１のＩＰパケットのシーケンス番号との第１の比較を行い、
前記第２のＩＰパケットストリームのうちのいずれかのＩＰパケットのシーケンス番号と、前記第２のＩＰパケットのシーケンス番号との第２の比較を行い、
前記第１の比較と前記第２の比較の結果が一致したことに基づいて、前記第１のＩＰパケットストリームおよび前記第２のＩＰパケットストリームにおいてそれぞれ同一のペイロードを有する２つのＩＰパケットを含むＩＰパケット対を識別し、
前記ＩＰパケット対を受信する場合は、前記ＩＰパケット対のうちのいずれかのＩＰパケットを選択して第３のＩＰストリームを構築し、
前記ＩＰパケット対のうちの１つのＩＰパケットのみを受信する場合は、前記１つのＩＰパケットを使用して前記第３のＩＰストリームを構築する
ことを特徴とする映像切替システム。
【請求項１１】
第１の送信機および第２の送信機とＩＰネットワークを介して接続され、
第１のＩＰパケットストリームを、ＲＴＰに従って、第１の伝送経路を介して受信し、
第２のＩＰパケットストリームを、ＲＴＰに従って、第２の伝送経路を介して受信し、
前記第１のＩＰパケットストリームのうちの映像フレーム境界を示す第１のＩＰパケットを判定し、
前記第２のＩＰパケットストリームのうちの映像フレーム境界を示す第２のＩＰパケットを判定し、
前記第１のＩＰパケットストリームのうちのいずれかのＩＰパケットのシーケンス番号と、前記第１のＩＰパケットのシーケンス番号との第１の比較を行い、
前記第２のＩＰパケットストリームのうちのいずれかのＩＰパケットのシーケンス番号と、前記第２のＩＰパケットのシーケンス番号との第２の比較を行い、
前記第１の比較と前記第２の比較の結果が一致したことに基づいて、前記第１のＩＰパケットストリームおよび前記第２のＩＰパケットストリームにおいてそれぞれ同一のペイロードを有する２つのＩＰパケットを含むＩＰパケット対を識別し、
前記ＩＰパケット対を受信する場合は、前記ＩＰパケット対のうちのいずれかのＩＰパケットを選択して第３のＩＰストリームを構築し、
前記ＩＰパケット対のうちの１つのＩＰパケットのみを受信する場合は、前記１つのＩＰパケットを使用して前記第３のＩＰストリームを構築する
ことを特徴とする映像受信機。